(57)【要約】【課題】運転安全性が高く、ロックラッチの解放のために加えなければならない力もしくは作業が最小限に減じられるようにする。【解決手段】ラチェット装置（３）が、ラチェット機構（５）と、移動可能な阻止エレメント（６）とを有しており、ロックラッチ（２）の、主閉鎖位置から開放位置の方向での復帰により、ラチェット機構（５）が移動させられるようになっており、かつラチェット装置（３）が保持位置にある場合には、阻止エレメント（６）が、ラチェット機構（５）の、ロックラッチ（２）により引き起こされ得る移動、ひいてはロックラッチ（２）の復帰を阻止するようにした。【選択図】図１
2006077546.tif 000002
【特許請求の範囲】
【請求項１】
ロックラッチ（２）とラチェット装置（３）とを備えた自動車ロックであって、ロックラッチ（２）が旋回軸線（４）を中心に旋回可能であり、ロックラッチ（２）が開放位置および主閉鎖位置ならびに場合によっては前閉鎖位置にもたらされ得るようになっており、ラチェット装置（３）が少なくとも１つの保持位置および解放位置にもたらされ得るようになっており、保持位置にあるラチェット装置（３）がロックラッチ（２）をいずれにしても主閉鎖位置に保持する形式のものにおいて、
ラチェット装置（３）が、ラチェット機構（５）と、移動可能な阻止エレメント（６）とを有しており、ロックラッチ（２）の、主閉鎖位置から開放位置の方向での復帰により、ラチェット機構（５）が移動させられるようになっており、かつラチェット装置（３）が保持位置にある場合には、阻止エレメント（６）が、ラチェット機構（５）の、ロックラッチ（２）により引き起こされ得る移動、ひいてはロックラッチ（２）の復帰を阻止することを特徴とする自動車ロック。
【請求項２】
ラチェット機構（５）が減速伝動装置であり、かつこれにより、阻止エレメント（６）によってロックラッチ（２）を阻止するために加えなければならない阻止力が減速伝動装置の設計に応じて減じられている、請求項１記載の自動車ロック。
【請求項３】
自動車ロックが、モータ式の開放駆動部、特に電動モータを有しており、かつロックラッチ（２）の解放がモータによりリリース可能である、請求項１または２記載の自動車ロック。
【請求項４】
ラチェット機構（５）が、旋回軸線（７）を中心に旋回可能な伝達レバー（８）を有しており、ロックラッチ（２）の、主閉鎖位置から開放位置の方向での旋回により、伝達レバー（８）が移動可能であり、かつラチェット装置（３）が保持位置にある場合には、阻止エレメント（６）が伝達レバー（８）を阻止し、
有利には、伝達レバー（８）がロックラッチ（２）に運動連結されており、
さらに有利には、運動連結のために、中間レバー（１１）が伝達レバー（８）とロックラッチ（２）との間に配置されており、かつ中間レバー（１１）が一端でロックラッチ（２）に、他端で伝達レバー（８）に旋回可能に、かつそれぞれの旋回軸線（４，７）に関して偏心的に枢設されている、請求項１から３までのいずれか１項記載の自動車ロック。
【請求項５】
ロックラッチ（２）が主閉鎖位置にある場合の、ラチェット機構（５）の減速の度合が、ロックラッチ（２）が前閉鎖位置にある場合よりも高い、請求項２および場合によっては請求項３または４記載の自動車ロック。
【請求項６】
ロックラッチ（２）が主閉鎖位置および場合によっては前閉鎖位置にある場合に、ロックラッチ（２）から中間レバー（１１）を介して伝達レバー（８）に作用する力が、伝達レバー（８）における、その旋回軸線（７）に関するトルクを生ぜしめ、かつ阻止エレメント（６）の阻止力がこのトルクに抗して働く、請求項４および場合によっては請求項５記載の自動車ロック。
【請求項７】
伝達レバー（８）が予負荷されており、かつ阻止エレメント（６）の阻止力が伝達レバー（８）のプレロードに抗して働き、かつ／または
伝達レバー（８）が主係止部（１６）および場合によっては前係止部（１６ａ）を有しており、かつ阻止エレメント（６）が主係止部（１６）および場合によっては前係止部（１６ａ）を介して伝達レバー（８）に、これを阻止するように係合させられることができ、かつ／または
阻止エレメント（６）がラチェットの形式で旋回軸線（１７）を中心に旋回可能であり、かつラチェット装置（３）が保持位置にある場合に、阻止エレメント（６）が伝達レバー（８）に、これを阻止するように係合する、
請求項４および場合によっては請求項５または６記載の自動車ロック。
【請求項８】
中間レバー（１１）の、ロックラッチ（２）への枢設部が遊嵌支承部を有しており、これにより、ロックラッチ（２）の、主閉鎖位置から、開放位置から見て主閉鎖位置の向こう側に位置する過ストローク位置への移動が、伝達レバー（８）の移動なしに可能であり、
有利には、中間レバー（１１）がロックラッチ（２）に対して予負荷されており、それにより、ロックラッチ（２）がプレロードに抗して過ストローク位置にもたらされ得るようになっている、
請求項４および場合によっては請求項５から７までのいずれか１項記載の自動車ロック。
【請求項９】
閉鎖補助駆動部が設けられており、該閉鎖補助駆動部が伝達レバー（８）に連結されており、かつロックラッチ（２）が閉鎖補助駆動部により伝達レバー（８）を介して主閉鎖位置へと移動可能である、請求項４および場合によっては請求項５から８までのいずれか１項記載の自動車ロック。
【請求項１０】
自動車ロックが進入スリット（２１）を有しており、かつ阻止エレメント（６）が盗難防止のために、進入スリット（２１）からは到達不可能または困難にのみ到達可能であるように自動車ロック内に配置されている、請求項１から９までのいずれか１項記載の自動車ロック。
【発明の詳細な説明】
【技術分野】
【０００１】
本発明は、ロックラッチとラチェット装置とを備えた自動車ロックであって、ロックラッチが旋回軸線を中心に旋回可能であり、ロックラッチが開放位置および主閉鎖位置ならびに場合によっては前閉鎖位置にもたらされ得るようになっており、ラチェット装置が少なくとも１つの保持位置および解放位置にもたらされ得るようになっており、保持位置にあるラチェット装置がロックラッチをいずれにしても主閉鎖位置に保持する形式のものに関する。本願では、自動車ロックという概念の下に、あらゆる種類のドアロック、ボンネットロックまたはフラップロックを包含する。
【背景技術】
【０００２】
今日の自動車ロックは一般にロックラッチおよびラチェットを、自動車ボディに配置された閉鎖ストライカまたはこれに類するものとの摩擦力結合（ｋｒａｆｔｓｃｈｌｕｅｓｓｉｇｅ  Ｖｅｒｂｉｎｄｕｎｇ：摩擦力による束縛）を実現するために装備している（欧州特許出願公開第０５８９１５８号明細書）。その際、ロックラッチは旋回軸線を中心に旋回可能であり、いずれにせよ主閉鎖位置にもたらされることができる。ラチェットはここではフック状に形成されており、ロックラッチを主閉鎖位置に保持する。主閉鎖位置で、ラチェットはロックラッチに設けられた相応の成形部、すなわち主係止部に係合する。この基本コンセプトはモータ式の開放駆動部を備えた自動車ロックでも使用され、例えはやはり前記欧州特許出願公開第０５８９１５８号明細書に示されている。
【０００３】
原則的に、上記自動車ロックには、ロックラッチおよびラチェットの構成次第で、ラチェットの解除、ひいてはロックラッチの解放が、所定の最小力および所定の最小作業に結び付けられており、これらの最小力および最小作業が、実質的にロックラッチとラチェットとの間の、ラチェットを解除する最中の摩擦力により規定されるという問題が生じる。摩擦係数の他に、摩擦作業にとって、ロックラッチからラチェットに作用する復帰力ならびにラチェットを解除するために必要な移動ストロークが重要な意味を有している。
【０００４】
上記の基本コンセプトを遵守しつつ、自動車ロックの運転安全性を損ねることなく、摩擦力もしくは摩擦作業を減じることは限定的にのみ可能である。このことは、機械式に操作可能な自動車ロックの場合に、場合によっては高い操作力に基づく快適性の侵害が生じることにつながる。つまり、自動車ロックに、モータ式の開放駆動部を装備する場合には、この開放駆動部を、高い力もしくは出力を考慮して設計しなければならない。このことは高い所要スペースならびに高いコストにつながる。ラチェットを解除するために必要な力を減じる解決端緒を、公知の自動車ロック（ドイツ連邦共和国特許出願公開第１０２３６２８２号明細書）が提示している。上記明細書には、２つのラチェットから成るラチェット装置が示されている。第１のラチェットは、ロックラッチを主ロック位置に保持するために、ロックラッチに係合させられることができる。第２のロックラッチは、第１のラチェットをその保持位置に保持するために、第１のラチェットに係合させられることができる。第１のラチェットは、この目的のために過剰に寸法設定されたばねにより、その保持位置の方向で負荷されている。
【０００５】
この自動車ロックの欠点は、第１のラチェットの、著しく緩慢な運動により引き起こされる、車両ドアの、閉鎖時における跳ね返りが阻止されるようにするためには、ラチェットの運動が極めて精緻に互いに調整されていなければならない点にある。ラチェット相互の、必要な調整は自動車ロックの構造を複雑化する。ラチェット相互の調整は高い剛性を備えたばねにより実施される。しかし、このことはやはり、ラチェットを解除するための操作力を高めることになってしまう。ラチェットを解除するために必要な力は摩擦力を減じることにより、確かに低減されてはいるものの、この低減は少なくとも部分的にばねの高い剛性により無意味化されてしまう。
【０００６】
ラチェットを解除するために必要な力を減じるための、別の解決端緒を、公知の自動車ロック（欧州特許第０４０６７７７号明細書）が示している。この自動車ロックから、本発明は出発する。ここでは、ラチェット装置が設けられており、ラチェット装置は、上記ラチェットと同様に、ロックラッチを主閉鎖位置に保持するために、ロックラッチに係合させられることができる。その際、ラチェット装置は第１のレバーからなっており、第１のレバーに、第２のレバーが旋回可能に枢設されている。ラチェット装置とロックラッチとの間の、ロックラッチを保持するために必要な係合は第２のレバーを介して実施される。ロックラッチを解放するために、第１のレバーは旋回させられる。このことは第２のレバーの、第１のレバーに対して相対的な旋回に至らしめる。同時に、第２のレバーはいわばロックラッチ上を、不安定な状態が生じて、ロックラッチがその開放位置に旋回するまで転がる。摩擦作業はロックラッチの解放時における第２のレバーの旋回により大幅に回避されることができる。
【０００７】
ただし、上記の自動車ロックで問題であるのは、ロックラッチが主閉鎖位置にある場合に、運転安全性が十分には保証され得ないという事実である。外部の高い加速度時に、第２のレバーが旋回してしまい、ロックラッチの、望ましくない解放へと至る可能性がある。高い運転安全性を達成するためには、第２のレバーの、第１のレバーに対する高いプレロードが必要であり、このことはやはり、ロックラッチを解放するために必要な高い力につながる。
【特許文献１】欧州特許出願公開第０５８９１５８号明細書
【特許文献２】ドイツ連邦共和国特許出願公開第１０２３６２８２号明細書
【特許文献３】欧州特許第０４０６７７７号明細書
【発明の開示】
【発明が解決しようとする課題】
【０００８】
したがって本発明の課題は、公知の自動車ロックを改良して、運転安全性が高く、ロックラッチの解放のために加えなければならない力もしくは作業が最小限に減じられるようにすることである。
【課題を解決するための手段】
【０００９】
上記課題を解決した本発明の構成によれば、ラチェット装置が、ラチェット機構と、移動可能な阻止エレメントとを有しており、ロックラッチの、主閉鎖位置から開放位置の方向での復帰により、ラチェット機構が移動させられるようになっており、かつラチェット装置が保持位置にある場合には、阻止エレメントが、ラチェット機構の、ロックラッチにより引き起こされ得る移動、ひいてはロックラッチの復帰を阻止するようにした。
【発明の効果】
【００１０】
まず重要であることは、ロックラッチの、主閉鎖位置から開放位置の方向での復帰がラチェット装置のラチェット機構の移動を生ぜしめることである。ラチェット装置が保持位置にある場合、ラチェット装置の、移動可能な阻止エレメントは、ラチェット機構の、ロックラッチにより引き起こされ得る移動、ひいてはロックラッチの復帰を阻止する。
【００１１】
「ラチェット機構」という概念は本願では包括的に、ロックラッチと阻止エレメントとの間に接続されている任意のメカニズムとして理解されることができる。ラチェット機構を相応に設計すれば、これにより、ロックラッチの解放のために必要な力、すなわち阻止エレメントを移動させるための力は減じられる。
【００１２】
このことから、機械的に操作可能な自動車ロックにとって、ロックラッチの解放のために必要な操作力が僅かであって、ラチェット装置、特に移動可能な阻止エレメントから外部操作レバーもしくは内部操作レバーまでのレバー連鎖が比較的弱く設計され得るという利点が得られる。操作力が僅かであることにより、ここではプラスチック材料も有利には使用される。このことはドア外部グリップまたはドア内部グリップに通じるボーデンケーブルまたはロッドのような接続エレメントにも当てはまるし、ドア外部グリップまたはドア内部グリップ自体にも当てはまる。
【００１３】
本発明の上記考案を構成し改良する多数の可能性が存在する。これについては、請求項２以下に記載した。
【００１４】
請求項２に基づき、ラチェット機構を減速伝動装置として構成することにより、阻止エレメントによって加えなければならない阻止力が簡単に減じられる。阻止力が小さいことにより、阻止エレメントと、ラチェット機構の、その都度の阻止したいエレメントとの間の、必要な重なりも僅かであるに過ぎない。結果的に、阻止エレメントの移動ストロークが減じられることにより、ロックラッチの解放のために加えなければならない作業はさらに減じられることができる。
【００１５】
特に有利であるのは、請求項３に基づく、モータ式の開放駆動部を備えた自動車ロックのための、本発明による解決策である。ロックラッチの解放のために加えなければならない力もしくは作業が減じられることにより、ここでは必要な駆動部が、小さな出力を有しているだけでよく、かつ相応に僅かな操作電流を要するに過ぎない。さらに、電気的に操作する場合、操作時間を、小さな出力を有する駆動部でも減じることが可能である。
【００１６】
さらに、上記のような電気的な操作時に、ロックラッチの、モータによる解放を、通常運転時の低いシール反対圧力においても、非常運転時（クラッシュ時）の高いドア反力においても保証することが、問題なく可能である。それというのも、ロックラッチの解放のために加えなければならない力が、ラチェット機構を相応に設計すると、相応に減じられることができるからである。
【００１７】
請求項４に基づく特に有利な構成は、ロックラッチが中間レバーと伝達レバーと相俟って四節機構を形成し、この四節機構により、請求項５に基づきロックラッチの位置に関連して可変であることができるほぼ任意の減速比が調節可能である。減速比の、この簡単な調節可能性により、特にロックラッチの位置に依存して可変の減速比により、ラチェット装置は最適にその都度の使用事例に適合される。
【００１８】
中間レバーをロックラッチに旋回可能に枢設することにより、ラチェット装置とロックラッチとの間の、直接的な、阻止する係合の必要性が排除される。これにより、高い力がロックラッチの平面に対して垂直に作用した場合に、自動車ロックの、特に自動車縦軸線の方向での、より良好な引張強さが生ぜしめられる。中間レバーをロックラッチに旋回可能に枢設することにより、阻止エレメントにおけるロックラッチの滑落の可能性はほぼ排除されている。原則的に、この優位性は自動車ロックの、車両縦軸線に対して直交する引張強さに関しても成立する。
【００１９】
さらに、中間レバーが旋回可能にロックラッチに枢設されていることにより、ロックラッチの表面はほぼ任意に構成されていることができる。ロックラッチの、特に硬質の表面は不要である。このことは、最適な引張強さに関してロックラッチの表面を構成する可能性、ならびに低コストにつながる。
【００２０】
全ての実施例で本発明による解決策により軽量化が可能であることを指摘しておく。それというのは、より軽量なプラスチック材料が使用可能であり、所定の構成部分がそれ程「堅牢」に設計されている必要がなく、または比較的小さな駆動部が使用可能であるからである。
【００２１】
以下に図面を参照しながら本発明の実施例につき詳説する。
【発明を実施するための最良の形態】
【００２２】
図１〜図４には抜粋的に、閉鎖ストライカ１を保持するロックラッチ２と、ラチェット装置３とを備えた自動車ロックが示されている。ロックラッチ２は旋回軸線４を中心に旋回可能であり、図３に示した開放位置ならびに図１に示した主閉鎖位置にもたらされる。さらに、閉鎖プロセス時のロックラッチ２の旋回運動を制限するために、定置のストッパ２ａが設けられている。サイドドアロックの場合、有利にはロックラッチ２が付加的に前閉鎖位置にもたらされ得るようになっている（図２）。ラチェット装置３は図１および図２に示した保持位置ならびに図３に示した解放位置にもたらされることができる。保持位置にあるラチェット装置３はロックラッチ２を主閉鎖位置に保持すると共に、設けられているのであれば、前閉鎖位置に保持する。この場合、ラチェット装置３はロックラッチ２を主閉鎖位置に保持するために第１の保持位置にもたらされることができ、かつロックラッチ２を前閉鎖位置に保持するために第２の保持位置にもたらされることができるようになっていてよい。ただし、唯一の保持位置だけが設けられていてもよい。
【００２３】
重要なことは、ラチェット装置３が、ラチェット機構５と、位置調節可能もしくは移動可能な阻止エレメント６とを有していることである。ロックラッチ２とラチェット機構５との間の連結により、ロックラッチ２の、図１に示した主閉鎖位置から図３に示した開放位置の方向での復帰はラチェット機構５を相応に移動させる。ラチェット装置３が、図１に示したように、保持位置にある場合、阻止エレメント６は、ラチェット機構５の、ロックラッチ２によって引き起こされ得る移動を阻止し、ひいてはロックラッチ２の復帰を阻止する。ラチェット装置３をこのように構成する利点は「発明の利点」で既に述べた。
【００２４】
特に有利な構成では、ラチェット機構５が減速伝動装置として構成されているので、阻止エレメント６によってロックラッチ２を阻止するために加えなければならない阻止力は減速伝動装置の設計に応じて減じられている。「減速伝動装置（Ｕｎｔｅｒｓｅｔｚｕｎｇｓｇｅｔｒｉｅｂｅ）」という概念について、本願では、ロックラッチ２からラチェット機構５に作用する復帰力の値が、結果的に生じる、ラチェット機構５から阻止エレメント６に作用する力よりも大きい（つまり、伝動装置の入力側における小さな阻止力が、伝動装置の出力側で、ロックラッチのための大きな保持力へと変換される）ことを意図している。
【００２５】
やはり「発明の利点」で述べたように、モータ式の開放駆動部を有する自動車ロックの構成は前記ラチェット装置３との関連で特に有利である。この場合、ロックラッチ２の解放は、特には説明しない開放駆動部が阻止エレメント６を阻止位置から、図１に破線で示した非阻止位置に移動させることによりリリース可能である。有利には、開放駆動部は電動モータである。
【００２６】
図示した、その点に関して有利な実施例では、ラチェット機構５が、旋回軸線７を中心に旋回可能な伝達レバー８を有している。ロックラッチ２が主閉鎖位置から開放位置の方向で、図１で見て右回りに復帰することにより、伝達レバー８は図１で見て右回りに移動可能である。ラチェット装置３が保持位置にある場合、阻止エレメント６は伝達レバー８を阻止するので、結果的に、ロックラッチ２の復帰も阻止される。
【００２７】
上に述べた原理の、特に簡単な、少ない構成部分でもって実現可能な構成が図５に概略的に示されている。ここでは、伝達レバー８は一端で阻止エレメント６に、他端でロックラッチ２に係合させられることができる。図５には、ロックラッチ２が主閉鎖位置で、かつラチェット装置３が保持位置で示されている。
【００２８】
そこで、阻止エレメント６を図５で見て右方向に旋回させると、ロックラッチ２は解放される。ロックラッチ２が、図５に示した主閉鎖位置から、図５で見て右回りに復帰すると、伝達レバー８は、図５で見て左回りに、ばね８ｂのプレロードもしくは予負荷に抗して旋回させられる。ロックラッチ２に配置された案内面９により、伝達レバー８は振り出された位置に保持される。別の案内面１０により、阻止エレメント６もやはり振り出された位置に保持される。引き続いて、ロックラッチ２が開放位置から主閉鎖位置に移動すると、阻止エレメント６は再度伝達レバー８に、これを阻止するように係合するようになり、これにより、ロックラッチ２を図示の主閉鎖位置に保持する。ここで特に有利なのは、ラチェット機構３の部分である伝達レバー８が減速伝動装置として形成されている事実であって、そのために、伝達レバー８の旋回軸線７は中央ではなく、偏移して伝達レバー８に配置されている。
【００２９】
伝達レバー８の、阻止エレメント６による阻止が有利には伝達レバー８の一旋回方向でのみ設けられていることを指摘しておく。ただし、特定の使用事例では、阻止エレメント６による阻止が両旋回方向での伝達レバー８の旋回を妨げることも有利であり得る。
【００３０】
図１から図４に示した、その点に関して有利な実施例では、伝達レバー８がロックラッチ２に運動連結されている、つまり連動するようになっている。このことは、伝達レバー８とロックラッチ２との間の強制連結（Ｚｗａｎｇｓｋｏｐｐｌｕｎｇ）を意図しており、この強制連結は、ロックラッチ２の移動が原則的に、伝達レバー８の、相応の移動を生ぜしめるようになっている。
【００３１】
有利な構成では、上に述べた運動連結のために、中間レバー１１が伝達レバー８とロックラッチ２との間に配置されており、中間レバー１１は一端でロックラッチ２に、他端で伝達レバー８に旋回可能に枢設もしくはヒンジ式に結合されている。ロックラッチ２側の枢設点１２はロックラッチ２の旋回軸線４に関して偏心的に、つまり旋回軸線４から間隔を置いて配置されている。相応に、伝達レバー８側の枢設点１３は伝達レバー８の旋回軸線７に関して偏心的に配置されている。
【００３２】
ロックラッチ２と中間レバー１１と伝達レバー８との間の上記連結により、四節機構伝動装置が生ぜしめられる。四節機構伝動装置により、ラチェット機構５の、その都度所望の減速比が、僅かな構造上の手間で調節される。特に有利であるのは、この種の四節機構伝動装置の減速比が例えば伝達レバー８の位置に応じて変化するという事実である。
【００３３】
ロックラッチ２が主閉鎖位置にある場合には、減速比が特に高く、ロックラッチ２が前閉鎖位置にある場合には、減速比が相応に比較的低いと、使用に特に適している。このことは、ロックラッチ２が主閉鎖位置にある場合に発生する保持力が、ロックラッチ２が前閉鎖位置にある場合に比べて遙かに高いという点で使用に適している。ロックラッチ２が主閉鎖位置にある場合の減速の度合は有利には、ロックラッチ２が前閉鎖位置にある場合の減速の度合に比べて八倍まで大きい。全体として、四節機構の可変の減速比は、自動車ロック内に存在する構成スペースの最適な利用につながる。
【００３４】
ロックラッチ２が主閉鎖位置にある場合、かつ設けられているのであれば前閉鎖位置にある場合に、ロックラッチ２から中間レバー１１を介して伝達レバー８に作用する力が、伝達レバー８における、その旋回軸線７に関するトルクを生ぜしめ、かつ阻止エレメント６の阻止力がこのトルクに抗して働くと、自動車ロックの運転安全性にとって特に有利である。図１に示した図面から、閉鎖ストライカ１からロックラッチ２への、図１で見て下方への力作用時（例えば閉鎖されたサイドドアに対する引張り力）に、相応の力がロックラッチ２から中間レバー１１を介して伝達レバー８に導かれることが判る。この力の力作用線１４は両枢設点１２，１３を通って延びる。
【００３５】
力作用線１４が伝達レバー８の旋回軸線７の、図１で見て右を通過することにより、図１で見て右回りの、伝達レバー８におけるトルクが生ぜしめられる。このトルクに抗して、阻止エレメント６の阻止力が作用する。その際、図１により、力作用線１４が旋回軸線７に近づけば近づくほど、減速比が大きくなることは明らかである。上記の両課題は最適な妥協という意味で、旋回軸線７に対して力作用線１４を適当に離間させることにより互いに結び付けられる。
【００３６】
ロックラッチ２が主閉鎖位置にある場合、一般に引張り力が閉鎖ストライカ１からロックラッチ２に作用する（シール反対圧力）ことにより、一般に、伝達レバー８への上記トルクが発生する。このことは、ロックラッチ２が主閉鎖位置にある場合に、伝達レバー８が原則的に、阻止位置にある阻止エレメント６により定義されている、図１に示した位置にあることにつながる。
【００３７】
ロックラッチ２の解放時に、ロックラッチ２の、主閉鎖位置から開放位置への確実な復帰を保証し得るために、有利な構成では、伝達レバー８が予負荷（プレロード）されており、かつ阻止エレメント６の阻止力が伝達レバー８のプレロードに抗して働くようになっている。原則的に、このプレロードはラチェット機構５の別の構成部分に与えられてもよい。ただし、図示の実施例で支配するてこ比に関して、伝達レバー８が説明の通り予負荷されていると特に有利である。このプレロードの方向は図１〜図４に矢印１５で示した。
【００３８】
上記阻止力を阻止エレメント６から伝達レバー８へ伝達し得るために、伝達レバー８は有利な構成では主係止部１６および前係止部１６ａを有している。既に上述の通り、前係止部１６ａは使用事例次第で場合によっては省略されることができる。阻止エレメント６は主係止部１６を介して、かつ存在しているのであれば、前係止部１６ａを介して、伝達レバー８に、これを阻止するように係合させられることができる。このことはロックラッチ２の主閉鎖位置および前閉鎖位置に関する図１および図２に示されている。
【００３９】
阻止エレメント６は有利な構成ではラチェットの形式で旋回軸線１７を中心に旋回可能である。さらに、ストッパ６ａが設けられており、ストッパ６ａに、阻止エレメント６が阻止位置で当て付けられており、かつストッパ６ａに向かって、阻止エレメント６に作用するばね６ｂのプレロードが作用する。ラチェット装置３が保持位置にある場合、阻止エレメント６は上述の通り伝達レバー８に、これを阻止するように係合する。このように阻止エレメント６をラチェットの形式で構成することは構造上特に簡単な実現に至る。
【００４０】
特に有利な構成では、中間レバー１１の、ロックラッチ２との枢設部は遊嵌支承部（Ｆｒｅｉｌａｕｆ）を有している。これにより、ロックラッチ２の、主閉鎖位置から、開放位置から見て主閉鎖位置の向こう側に位置する過ストローク位置への移動が、必然的に伝達レバー８の移動を招くことなく可能であるようにすることができる。ロックラッチ２の過ストローク位置は図４に破線で示されている。例えば自動車のサイドドアを衝撃的に閉鎖した際に、ロックラッチ２の過ストローク位置が短期的に取られる。伝達レバー８はその間ストッパ８ａに対してその過ストローク位置に押し込まれる。その結果、阻止エレメント６は阻止位置に入ることができる。
【００４１】
上記遊嵌支承部は、ロックラッチ２が長穴１８を有しており、中間レバー１１が、長穴１８内に配置されるピン１９を有していることにより実現されている。ロックラッチ２が主閉鎖位置から過ストローク位置に移動すると、ピン１９は長穴１８内を、図４に示したように運動する。
【００４２】
特にロックラッチ２の、主閉鎖位置から開放位置への復帰のための、ロックラッチ２とラチェット機構５との間の十分な連結、ならびに伝達レバー８の、ロックラッチ２の過ストローク時におけるストッパ８ａでの上記位置固定を保証するために、さらにはピン１９の、長穴１８内での暴走もしくはがたつきを回避するために、中間レバー１１はロックラッチ２に対して、ロックラッチ２がプレロードに抗してのみ過ストローク位置へともたらされ得るように予負荷されている。このプレロードはプレロードばね２０により、図１に示したように実現される。
【００４３】
本発明による解決策により、盗難防止に関する利点も得られる。有利な構成では、自動車ロックが進入スリット２１を有しており、かつ阻止エレメント６が盗難防止のために、進入スリット２１からは全く到達不可能または困難にのみ到達可能であるように自動車ロック内に配置されている。このことは、ラチェット機構５の介在により、阻止エレメント６を、自動車ロック内の、進入スリット２１からの不正なアクセスに対して保護されている場所に配置する可能性が存在することを意図している。
【００４４】
さらに、本発明による解決策は閉鎖補助装置の、特にコンパクトな実現も提供する。この構成では、特には説明しない閉鎖補助駆動部が設けられており、閉鎖補助駆動部は伝達レバー８に連結されている。そして、ロックラッチ２は閉鎖補助駆動部により伝達レバー８を介して主閉鎖位置に移動可能である。このために必要な前提は伝達レバー８とロックラッチ２との間の上記運動連結である。
【図面の簡単な説明】
【００４５】
【図１】ロックラッチが主閉鎖位置にあり、ラチェット装置が保持位置にある自動車ロックを示す図である。
【００４６】
【図２】ロックラッチが前閉鎖位置にある、図１に示した自動車ロックを示す図である。
【００４７】
【図３】ロックラッチが開放位置にあり、ラチェット装置が解放位置にある、図１に示した自動車ロックを示す図である。
【００４８】
【図４】ロックラッチが過ストローク位置（破線で図示）にある、図１に示した自動車ロックを示す図である。
【００４９】
【図５】ロックラッチおよびラチェット装置を備えた別の自動車ロックの概略図である。
【符号の説明】
【００５０】
１  閉鎖ストライカ、  ２  ロックラッチ、  ２ａ  ストッパ、  ３  ラチェット装置、  ４  旋回軸線、  ５  ラチェット機構、  ６  阻止エレメント、  ６ｂ  ばね、  ７  旋回軸線、  ８  伝達レバー、  ８ａ  ストッパ、  ９  案内面、  １０  案内面、  １１  中間レバー、  １２  枢設点、  １３  枢設点、  １４  力作用線、  １５  矢印、  １６  主係止部、  １６ａ  前係止部、  １７  旋回軸線、  １８  長穴、  １９  ピン、  ２０  プレロードばね、  ２１  進入スリット
【図１】
2006077546.tif 000003
【図２】
2006077546.tif 000004
【図３】
2006077546.tif 000005
【図４】
2006077546.tif 000006
【図５】
2006077546.tif 000007